(57)【要約】      （修正有）【課題】身近に永く保存しておきたい遺品等の保存物を保存する格納部を設けた装身具において、格納した保存物の損失が起き難く、広く各種の装身具に保存物を格納可能にする装身具用ジョイントを提供する。【解決手段】バチカン１０は、ジョイント構成部材１１と封止部材１４を備え、ネックレスの鎖とペンダントを結合する。保存物１を格納する穴１３が、ジョイント構成部材に設けられる。封止部材１４は、保存物を格納した穴１３の内部からジョイント構成部材の表面に達する空間１６に設けられ、ジョイント構成部材に溶接される。【選択図】図３
0003210222.tif 000002
【実用新案登録請求の範囲】
【請求項１】
基体部とトップ部を結合する装身具用ジョイントであって、
保存物を格納する穴が設けられたジョイント構成部材と、
保存物を格納した穴の内部からジョイント構成部材の表面に達する空間に設けられ、ジョイント構成部材に溶接された封止部材と、
を備えたことを特徴とする装身具用ジョイント。
【請求項２】
請求項１に記載された装身具用ジョイントにおいて、
保存物を格納する穴が、ジョイント構成部材の上面に開口して、ジョイント構成部材の内部で閉塞することを特徴とする装身具用ジョイント。
【請求項３】
請求項１又は２に記載された装身具用ジョイントにおいて、
保存物を格納する穴が、ジョイント構成部材の上面の中央部に設けられたことを特徴とする装身具用ジョイント。
【請求項４】
請求項１ないし３のいずれかに記載された装身具用ジョイントにおいて、
保存物を格納する穴が、有底の垂直穴であることを特徴とする装身具用ジョイント。
【請求項５】
請求項１ないし４のいずれかに記載された装身具用ジョイントにおいて、
保存物が、遺品であることを特徴とする装身具用ジョイント。
【考案の詳細な説明】
【技術分野】
【０００１】
本考案は、装身具に用いる基体部（使用者が装着・携帯に直接用いる部分）とトップ部を結合する装身具用ジョイントに関する。
【背景技術】
【０００２】
人間には、個人にとって重要な意味を持ち、大切にしているものもしくは情報（情報媒体に表現された個人情報等）を身近に永く保存しておきたい、という欲求がある。例えば、故人又は故ペット（愛玩動物）の遺品が端的な例であり、従来からメモリアル製品として様々なものが考えられている。また、従来提案されたメモリアル製品として、お骨（遺骨）等を内部に保存する装身具がある。
【０００３】
装身具にお骨や遺髪等の保存物を保存するときには、例えば、ペンダント等のトップ部に設けられた宝飾用の石、金属等に円柱状の穴を開け、開けた穴の中に保存物を格納する。格納用の穴に保存物を入れた後に、穴を塞ぐことで、保存物をトップ部内に保存する。
このように保存物を保存する従来例として挙げられる特許文献１では、円柱状に形成した格納用の穴に保存物を入れた後、石等と同等の硬度を持つ充填剤で穴を塞ぐ。また、充填剤の表面を磨く等の処理を施して、美観を損なうことなく、保存物を保存する。
【０００４】
しかしながら、トップ部の宝飾用の石に格納用の円柱状の穴を開ける場合には、石が大きくなくては加工をすることができない。そのため、希少な石では高額なものになってしまい、トップ部に用いる材料が限られてしまう。この点は、トップ部が石ではなく、希少金属の場合にも同様の問題が生じる。また、トップ部の石や金属に円柱状の穴を開けるときには、多くの場合に、石や金属の下部に穴を開ける。これに伴い、穴の充填剤が損傷すると、保存物が落下して損失する虞がある。
【０００５】
他の従来の装身具では、カプセル状の筒型容器に保存物を入れ、筒型容器の上部に設けたネジにより、筒型容器をトップ部に取り付ける。これにより、筒型容器をトップ部に固定するとともに、筒型容器の入口を塞ぐ。ところが、この場合には、筒型容器に作用する衝撃等によって、筒型容器の上部のネジが緩みやすい。その結果、筒型容器が落下して、保存物を損失する虞がある。
【先行技術文献】
【特許文献】
【０００６】
【特許文献１】特開２００６−１７４９３８号公報
【考案の概要】
【考案が解決しようとする課題】
【０００７】
本考案は、身近に永く保存しておきたい遺品等の物品を保存する格納部を設けた装身具における上記した従来の問題に鑑みなされたものであり、その目的は、格納した保存物の損失が起き難く、広く各種の装身具において保存物を格納できるようにすることである。
【課題を解決するための手段】
【０００８】
本考案は、基体部とトップ部を結合する装身具用ジョイントであって、保存物を格納する穴が設けられたジョイント構成部材と、保存物を格納した穴の内部からジョイント構成部材の表面に達する空間に設けられ、ジョイント構成部材に溶接された封止部材と、を備えたことを特徴とする。
【考案の効果】
【０００９】
本考案によれば、格納した保存物の損失が起き難く、広く各種の装身具において保存物を格納することができる。
【図面の簡単な説明】
【００１０】
【図１】本実施形態の装身具用ジョイントを用いたネックレスの一例を示す図である。
【図２】従来のネックレスにおけるバチカンの一例を示す図である。
【図３】本実施形態のバチカンの構成を示す図である。
【考案を実施するための形態】
【００１１】
本考案は、身近に永く保存しておきたい物品を装身具に格納するというアイデアを実現するために、従来提案された宝石等のトップ部に穴を設けることに替えて、装身具用ジョイント（以下、単に「ジョイント」という）に格納用の穴を設けて、ジョイントの穴内に保存物を格納する。このジョイントは、装身具の使用者が装着する装飾品（例えば、ネックレス、ブレスレット、指輪）や使用者が携帯する携帯品（例えば、キーホルダー、ストラップ）等の装身具の基体部とトップ部を結合する部品である。
【００１２】
例えば、ペンダントを付けたネックレスの場合、ジョイントは、基体部としての鎖にトップ部としてのペンダント（下げ飾り）とを結合する部材（バチカン）である。ネックレス、ブレスレット、指輪のような装飾品では、トップ部は、チャームともいわれ、宝石等の飾りが用いられる。また、例えば、キーホルダーの場合、ジョイントは、基体部としてのホルダ本体にトップ部に当たるキーを結合する部材であり、複数のキーを束ねて保持する形の部材がよく見られる例である。
【００１３】
ジョイントは、使用者が装着や携帯に直接用いる基体部の側にあり、通常、トップ部を結合するために強固なつくりの部材である。そのため、トップ部（ネックレスの場合、ペンダント）を損失することがあっても、基体部（ネックレスの場合、鎖）が損傷等によって失われない限り、ジョイントは無事であり、ジョイント内に格納した保存物の損失が起き難い。
【００１４】
また、ジョイントに保存物を格納するようにしたので、トップ部に格納用の穴を加工する従来技術のように、希少な石や金属を用いることが制約条件になることはなく、どんなトップ部も用いることが可能である。更に、ジョイントを各種のトップ部に共用する形式をとること（例えば、キーや携帯電話等に共用するストラップのジョイント）で、広く諸種の装身具に適用できる。
なお、ジョイントを基体部と別体として基体部に装着自在にする例のほか、基体部の一部をジョイントとしてトップ部を結合するようにしてもよい。
【００１５】
ジョイント内に格納する保存物は、身近で大切に保存したいものを対象にする。例えば、保存物は人や動物（ペット）の遺品もしくは記念品であり、ジョイントに設けた格納用の穴に納めることができる大きさを持つもの（お骨、遺髪、遺毛等）が保存物の対象になる。
【００１６】
また、上記以外に、装身具の使用者にとって重要な情報（例えば、財産の管理や健康管理に必要な個人情報など）を電子化データとして記録したマイクロチップが保存物の対象になる。こうした情報を対象にする場合には、マイクロチップをジョイント内に格納した状態で、ジョイントの外部から情報を読み出せるような方法により保存できるようにするとよい。ただし、情報の内容によっては、使用者だけがアクセスできるようにして、個人情報の漏洩を防ぐための手段を講じる必要がある。
【００１７】
以下、本考案のジョイントの一実施形態として、ペンダントを付けたネックレスに適用した例について、図面を参照して説明する。
図１は、本実施形態のジョイントを用いたネックレスの一例を示す図である。図１では、環状の鎖の一部を示している。また、図１は、正常な状態で首に装着されたネックレスを正面からみて示している。ジョイントの上下は、図１に示す状態において規定される。
【００１８】
図示のように、装身具の一例であるネックレス５０は、使用者が首の周りに直接装着する鎖３０と、ペンダント２０と、バチカン１０を備えている。鎖３０は、ネックレス５０の基体部であり、ペンダント２０は、ネックレス５０のトップ部である。バチカン１０は、ネックレス５０のジョイント（結合部材）であり、ペンダント２０を鎖３０に結合する。ペンダント２０は、バチカン１０に吊り下げられる吊下げ部２２を有し、吊下げ部２２によりバチカン１０に取り付けられて、バチカン１０を介して鎖３０に結合される。
【００１９】
ここで、本実施形態のバチカン１０との比較のため、この種のネックレスにおける従来のバチカンについて、図２を参照して説明する。図２は、従来のネックレスにおけるバチカンの一例を示す図である。図２Ａは、従来のバチカンの正面図であり、図１のバチカン１０と同じ方向からみたバチカンを示している。図２Ｂは、従来のバチカンを側方からみた側面図である。
図示のように、従来のバチカン１００は、環状の部材であり、鎖３０とペンダント２０の吊下げ部２２とを挿通する孔１１０を有する。バチカン１００の孔１１０に鎖３０と吊下げ部２２を共に挿通することで、ペンダント２０がバチカン１００を介して鎖３０に結合される。
【００２０】
このように、図１に示す要素でネックレス５０を構成すること自体は、従来製品と変わらない。しかしながら、本実施形態のネックレス５０では、上記したように、ジョイントとしてのバチカン１０に特徴がある。以下、ネックレス５０のバチカン１０の構成について詳しく説明する。
【００２１】
本実施形態（図１参照）のネックレス５０のバチカン１０は、ペンダント２０と鎖３０を結合する本来のジョイントとしての機能を有するほかに、遺品等の保存物を格納する場所を提供する。そのため、バチカン１０を構成する部材（ジョイント構成部材１１）に格納用の穴を設ける。ネックレス５０においては、ジョイント構成部材１１は、バチカン１０のバチカン構成部材である。ジョイント構成部材１１に設けた穴を格納場所として、穴の内部に保存物を格納した後、保存物を格納した穴の内部からジョイント構成部材１１の表面に達する空間に封止部材を設ける。
【００２２】
保存物を格納する穴は微細であり、穴あけ加工により穴を形成するのが適当である。バチカン１０のジョイント構成部材１１には金属材料を通常用いるので、金属に微細な穴をあける従来の穴あけ加工によって、必要な大きさの穴をジョイント構成部材１１に形成することができる。
【００２３】
保存物を格納する穴と封止部材をジョイント構成部材１１にどのように設けるかは、以下の（１）〜（３）に例示する点が必要な条件となる。
（１）穴の気密性を高くし、封止部材の損傷を防いで保存性能を高める。
（２）簡単に保存物を損失しないようにする。
（３）本来のジョイントとしての機能を保ち、かつ、コンパクトな部品とする。
【００２４】
上記（１）の条件を満たすため、保存物を格納する穴は、ジョイント構成部材１１を突き抜けない穴、即ち、閉塞する底部を有する有端（有底）の穴であるのが好ましい。穴の奥（底部側の部分）に保存物を格納し、穴の保存物を格納した部分（格納部）から開口部に達するまでの空間に封止部材を設ける。また、穴の位置は、外部から強い衝撃が作用し、しかも磨耗を受けやすい、例えば、バチカン１０の下部のような部分の近辺を避けた位置にするのが好ましい。これにより、封止部材を損傷し難くする。
【００２５】
上記（２）に関して、封止部材がジョイント構成部材１１から外れると、保存物を損失する虞がある。そのため、封止部材の外れを防止する必要がある。
上記（３）の条件を満たすため、本来のジョイントの強度を保つように、ジョイント構成部材１１に穴を設けるとともに、ジョイント構成部材１１のサイズの大型化を避けた設計とする。
上記（１）〜（３）の条件を考慮した１つの実施形態を例示する。
【００２６】
図３は、本実施形態のバチカン１０の構成を示す図である。図３Ａは、バチカン１０の正面図であり、図１と同じ方向からみたバチカン１０を示している。図３Ｂは、バチカン１０を側方からみた側面図である。図３Ｃは、図３Ｂに示すバチカン１０の一部を示す断面図である。
【００２７】
図示のように、バチカン１０は、環状の部材であり、ジョイント構成部材１１と、ジョイント構成部材１１に形成された結合用の孔１２及び格納用の穴１３（格納穴）と、封止部材１４を備えている。孔１２は、鎖３０とペンダント２０の吊下げ部２２とを挿通する挿通孔である。また、孔１２は、ジョイント構成部材１１に形成された貫通孔であり、ジョイント構成部材１１を水平方向に貫通する。孔１２に鎖３０と吊下げ部２２を共に挿通することで、ペンダント２０がバチカン１０を介して鎖３０に結合される。
【００２８】
ジョイント構成部材１１には、保存物１を格納する穴１３が設けられる。封止部材１４により封止される前の状態で、穴１３は、上方に向けて開口する有底の垂直穴であり、垂直方向に沿って形成されている。また、穴１３は、ジョイント構成部材１１の上面１５に開口して、上面１５の開口部から下方に向かって形成されている。穴１３の底部は、ジョイント構成部材１１の内部（上面１５に形成された穴１３の開口部の下方）に位置しており、穴１３は、ジョイント構成部材１１の内部で閉塞する。ここでは、穴１３は、ジョイント構成部材１１の上面１５の中央部に設けられて、ジョイント構成部材１１の上面１５と孔１２の間の部分に形成されている。
【００２９】
保存物１をジョイント構成部材１１の穴１３に格納して、封止部材１４を穴１３に挿入する。封止部材１４は、保存物１を格納した穴１３の内部からジョイント構成部材１１の表面（上面１５）に達する空間１６に配置される。空間１６は、保存物１の格納部とジョイント構成部材１１の表面（穴１３の開口部）との間に位置する穴１３の内部空間である。封止部材１４は、空間１６内に設けられて、保存物１とジョイント構成部材１１の表面との間に配置される。その状態で、封止部材１４をジョイント構成部材１１に溶接して、封止部材１４により、保存物１を格納した穴１３を封止する。
【００３０】
封止部材１４は、ジョイント構成部材１１の穴１３に合わせて形成されて、穴１３に嵌め込まれる。穴１３の内周面と封止部材１４の外周面は、対向して配置される。ジョイント構成部材１１と封止部材１４は、互いに溶接可能な金属から形成されている。封止部材１４は、例えば、微細領域を溶接可能な溶接（レーザー溶接、電子ビーム溶接等）によりジョイント構成部材１１に溶接される。
【００３１】
ここでは、レーザー溶接により、穴１３と封止部材１４の周方向の全体に亘って、封止部材１４とジョイント構成部材１１を溶接する。その際、穴１３の内周面と封止部材１４の外周面とを溶接して接合する。これにより、封止部材１４とジョイント構成部材１１を一体化する。また、少なくとも、穴１３の開口部側に位置する封止部材１４の端部がジョイント構成部材１１に溶接される。溶接後に、封止部材１４とジョイント構成部材１１の溶接部と溶接部の周辺部を研磨して、封止部材１４とジョイント構成部材１１の境界部と溶接部を目立たなくする。
【００３２】
溶接された封止部材１４により、ジョイント構成部材１１の穴１３を完全に塞いで、穴１３内の保存物１の格納部を密封し、穴１３の内部を外部から完全に遮断する。これにより、ジョイント構成部材１１における保存物１の保存性能を高めて、保存物１をバチカン１０内に確実に保存する。また、穴１３の内部が防水状態になるため、保存物１に水が付着するのが防止される。穴１３の内部が気密状態になるため、穴１３内への気体（空気、水蒸気等）の流入も防止される。その結果、保存物１の劣化が抑制され、保存物１の状態が長期間に亘って維持される。
【００３３】
ペンダント２０がバチカン１０から外れることがあっても、バチカン１０が鎖３０から外れることはまれである。そのため、本実施形態では、格納した保存物１の損失が起き難く、身近に永く保存しておきたい保存物１（遺品等）を格納するための最適な場所を提供することができる。また、ペンダント２０に穴等を形成する必要がないため、どのようなペンダント２０も用いることができ、広く各種の装身具において保存物１を格納することができる。保存物１は、ジョイント構成部材１１の上面１５に開口する穴１３の底部側で安定して保存される。穴１３をジョイント構成部材１１の上面１５の中央部に設けることで、バチカン１０のバランスを向上させて、使用者に装着されたバチカン１０を安定させることができる。
【００３４】
なお、封止部材１４とジョイント構成部材１１は、同じ金属から形成される。ただし、封止部材１４は、ジョイント構成部材１１に溶接可能な材料から形成されていればよい。従って、封止部材１４は、ジョイント構成部材１１の金属と同じ種類の金属から形成してもよく、ジョイント構成部材１１の金属とは異なる種類の金属から形成してもよい。
【００３５】
保存物１を格納する穴１３は、垂直方向以外の方向に沿って形成してもよく、ジョイント構成部材１１の上面１５以外の位置に設けてもよい。穴１３は、バチカン１０の形状等に対応して、ジョイント構成部材１１の最適な位置に設けられる。バチカン１０に、鎖３０を挿通する孔とペンダント２０の吊下げ部２２を挿通する孔を形成して、鎖３０と吊下げ部２２を互いに異なる孔に挿通させてもよい。宝石等の飾りがバチカン１０に設けられるときには、ジョイント構成部材１１に飾りが取り付けられる。
【符号の説明】
【００３６】
１・・・保存物、１０・・・バチカン、１１・・・ジョイント構成部材、１２・・・孔、１３・・・穴、１４・・・封止部材、１５・・・上面、１６・・・空間、２０・・・ペンダント、２２・・・吊下げ部、３０・・・鎖、５０・・・ネックレス。
【図１】
0003210222.tif 000003
【図２】
0003210222.tif 000004
【図３】
0003210222.tif 000005